(57)【要約】      （修正有）【課題】作業時の安全と操作性および運搬時さらにエンジン始動時など種々の利便性を有する刈り払い機を提供する。【解決手段】エンジンを内蔵した本体ケース１と、該本体ケースに突出して固定されるメインパイプ２と、エンジン駆動軸に接続される伝達軸を有し、該伝達軸はメインパイプ内に位置するとともに、ギアケースを介して、交換可能なる回転体３を伝達軸端に設けて刈り払い機を構成する。さらに、該回転体外周近傍にガードリング１０を設け、メインパイプ２の上方適所に主ハンドル１１を設け、本体ケース１に副ハンドル１６を上方突設にて設ける。【選択図】図３
0003170864.tif 000002
【実用新案登録請求の範囲】
【請求項１】
エンジンを内蔵した本体ケースと、該本体ケースに突出して固定されるメインパイプと、エンジン駆動軸に接続される伝達軸を有し、該伝達軸はメインパイプ内に位置するとともに、ギアケースを介して、交換可能なる回転体が伝達軸端に設けられてなる刈り払い機において、回転体外周近傍にガードリングを設け、メインパイプ上方適所に主ハンドルを設け、本体ケースに副ハンドルを上方突設にて設けたことを特徴とする刈り払い機。
【請求項２】
主ハンドルを、メインパイプより上方に向かって広がる側部を有する四角枠状としてなる請求項１記載の刈り払い機。
【請求項３】
ガードリング近傍にガードプレートを設けてなる請求項１または２記載の刈り払い機。
【請求項４】
回転体としてファンと回転紐を同期回転させるものとした請求項１から３までのいずれかの項に記載の刈り払い機。
【考案の詳細な説明】
【技術分野】
【０００１】  この考案は、従来品に比べ、より作業性を向上させた刈り払い機に関する。
【背景技術】
【０００２】  従来より、草を刈るための刈り払い機が多用されているが、本案に示すように大小双方のハンドルを設けたものは見あたらない。
【考案の開示】
【考案が解決しようとする課題】
【０００３】  従来の刈り払い機には略Ｕ字形のハンドル等が設けられ、作業者は肩掛け帯にて刈り払い機を人体から吊り下げ、このハンドルを握って作業を行っている。しかし、このＵ形ハンドルは刈り払い機の運搬には適さず、また、エンジン始動時は専用の引き紐を引いて行うが、エンジンに足をかけるなどして本体ケースを固定しなければならず、作業の煩わしさを有しているものである。本案は、以上のような従来からの刈り払い機に関わる課題を解決するために考案されたもので、大小二つのハンドルとガードリングを設けることにて、以上の課題の解消を可能とする有用なる装置を提供するものである。
【課題を解決するための手段】
【０００４】  課題を解決する手段として本案は以下の構成とした。
すなわち、エンジンを内蔵した本体ケースと、該本体ケースに突出して固定されるメインパイプと、エンジン駆動軸に接続される伝達軸を有し、該伝達軸はメインパイプ内に位置するとともに、ギアケースを介して、交換可能なる回転体が伝達軸端に設けられてなる刈り払い機において、回転体外周近傍にガードリングを設け、メインパイプ上方適所に主ハンドルを設け、本体ケースに副ハンドルを上方突設にて設ける。
本案は以上の構成よりなる刈り払い機である。
【考案の効果】
【０００５】  本案は下記の効果を有する。
１．回転体外周近傍にガードリングを設けたので、刈り払い作業時の安全性を高めることができる。
２．メインパイプの中間上部に四角枠状の主ハンドルを設けたので、刈り払い作業時や本機運搬時の利便性が高められる。
３．副ハンドルを設けたので、この副ハンドルを握って本体ケースを押さえることができ、エンジン始動時に便利である。
４．回転体としてファンと回転紐を備えることにて、草刈りと刈った草の移動の、双方の機能が得られる。
【考案を実施するための最良の形態】
【０００６】  以下、本考案の実施形態について説明する。
図において、１は本体ケースで、ガソリンエンジンとタンクが内蔵されている。
この本体ケースにはメインパイプ２が突設され、エンジン出力軸につながる伝達軸が該メインパイプ内に位置しており、この伝達軸端にはギアケースを介して回転体３が取り付けられている。本例では回転体としてファンを用いている。また、該回転体近傍のメインパイプにはガードプレート４が設けられる。以上までは、従来からの刈り払い機同様の構成である。
１０は回転体外方近傍周囲に設けられるガードリングで、鉄線を略円形に形成したもので、適宜支持部材にてその両端はメインパイプに固定される。１１は一部被覆された金属管体による主ハンドルで、メインパイプ上方に向かって広がる側部を有する四角枠状形であってハンドル固定具１２にてメインパイプに取り付けられる。このハンドル固定具は、二股になってメインパイプを挟み込むように設けられ、この二股個所には雄ネジが螺合し、この雄ネジはＬ形のハンドル調整レバー１３につながっている。従って、このレバー回動にて主ハンドルの固定と固定解除が可能であり、レバー操作にてメインパイプに対する主ハンドル位置の選択ができる。なお、このハンドル固定具構成は、自転車のサドル高さ調整部分に用いられているものと同様構成である。
１４はスロットルレバーで、主ハンドル側部に設けられ、エンジンの出力調整をこのレバー操作にて行うことができる。１５はステーで、有孔小板体であってメインパイプに取り付けられる。このステーには、肩掛けベルト（図示略）が着脱可能として取り付けられる。１６は副ハンドルで、略コ字形の金属棒であって、その両端を下方にして本体ケースに対し上方突設される。１７は回転体と同期して回転する草刈りのための回転紐である。【０００７】  本案の使用に際しては、まず肩掛けベルトをステーを介してメインパイプに装着し、エンジンを始動させる。このとき、副ハンドルを片手で押さえて始動紐を引くことにてエンジンが始動する。次に、肩掛けベルトにて本装置を人体から吊り下げ、主ハンドルを握り、回転している回転紐を草に当てて刈ることができる。回転体としては、円板周囲に連続凹凸刃部を設けた回転刃が多用されるが、図示の例はファンを用いた例である。このファンは、ちょうど扇風機のファンのようなねじれ曲板を用いたもので、合成樹脂製の紐による回転紐が回転部に取り付けられてファンとともに回転し、この紐にて草を切断して刈ることができる。従って、刈った草をファンで飛ばして所望の位置に寄せることができる。
なお、回転体近傍にはガードプレートが位置し、刈った草の作業者方向への移動が阻止される。【０００８】  以上、本案について記したが、本案は主ハンドルと副ハンドルおよびガードリングを設けたところにその特徴を有している。従来品はＵ形のハンドルが装備されており、エンジン始動時や運搬時そして作業時の安全性の面で考慮すべき点があったが、既述のごとく本案にてこれらが解消されるものとなったのである。
本案に用いた主ハンドルは四角枠状であるので、このハンドルをつかんで運搬時に利用しやすく、また従来のＵ形ハンドルのように、上方に向かって広がる側部を有するので、草刈り作業時には従来品同様の操作性が得られ、例えば左手で主ハンドルを持ち、右手で副ハンドルを持つことにて、回転体を振っての作業が容易となる。また、ガードリングを回転体周囲に設けており、作業時の安全度が高められている。このガードリングは回転体の上下方向中心位置よりやや上方に位置して刈り払いに支障はない。また、障害物をこのガードリングで感知することができて回転体の損傷を防止でき、ガードリングで草を押さえつけて刈ることができる。
回転体として図示の例では、ファンと回転紐を用いて、草刈りと刈り取った草の移動の双方の機能が得られ、刈り取り後の草を所望の位置に寄せることができるが、従来の回転刃に付け替えての使用も可能である。
以上のごとく、本案によって草刈り作業に便利なる装置を得ることができる。
【図面の簡単な説明】
【０００９】
【図１】  従来例の斜視図
【図２】  従来例の使用状態図
【図３】  本考案の斜視図
【符号の説明】
【００１０】  １  本体ケース
２  メインパイプ
３  回転体
４  ガードプレート
１０  ガードリング
１１  主ハンドル
１２  ハンドル固定具
１３  ハンドル調整レバー
１４  スロットルレバー
１５  ステー
１６  副ハンドル
１７  回転紐
２０  本体ケース
２１  Ｕ形ハンドル
２２  メインシャフト
２３  回転刃
【図１】
0003170864.tif 000003
【図２】
0003170864.tif 000004
【図３】
0003170864.tif 000005